【手続補正書】
【提出日】平成16年6月7日(2004.6.7)
【手続補正１】
【補正対象書類名】明細書
【補正対象項目名】特許請求の範囲
【補正方法】変更
【補正の内容】
【特許請求の範囲】
【請求項１】
(ａ)  酸を含有するポリマーポリオールと酸基を含まないポリオールとの水性混合物であって、少なくとも１.５の平均ヒドロキシル官能性と約１５〜２００の酸価とを有するものと、この酸を含有するポリマーポリオールを実質的に中和するのに十分な量存在する、活性水素の平均官能性が少なくとも１.５であるアミンまたはアミンの配合物、
(ｂ)  １つまたはそれ以上のポリイソシアネート、そして
(ｃ)  ２つまたはそれ以上の異なる顔料
からつくられる実質的に溶媒を含まず、水性であり、顔料添加された２成分のポリウレタン−ポリ尿素分散体において、
(ｄ)  水性ポリマー乳濁液を、（ａ）と（ｄ）の混合物に揺変性を付与するのに十分な量で存在させる
ことからなる、顔料のフラッディングを減少させるか排除するために改良された上記分散体。
【請求項２】
乳濁液ポリマーが酸官能基を有し、２０℃またはそれ以上のＴｇを有する請求項１記載の水性の２成分ポリウレタン−ポリ尿素分散体。
【請求項３】
＞０〜５０重量％のポリマー乳濁液成分（ｄ）と＜１００〜５０重量％のポリオール／アミン成分（ａ）とを含有する請求項１記載の水性の２成分ポリウレタン−ポリ尿素分散体。
【請求項４】
乳濁液ポリマーがアクリル酸またはその塩、メタクリル酸またはその塩、アクリルエステル、メタクリルエステルおよびこれらの混合物からなる群から選択される重合モノマーからなる請求項１記載の水性のポリウレタン−ポリ尿素分散体。
【請求項５】
乳濁液ポリマーが、アクリル酸またはその塩、メタクリル酸またはその塩、メチルアクリレート、メチルメタクリレート、エチルアクリレート、ｎ−プロピルアクリレート、イソプロピルアクリレート、ｎ−ブチルアクリレート、ｎ−ブチルメタクリレート、２−エチルヘキシルアクリレートおよびこれらの混合物からなる群から選択されるモノマーを１０〜１００重量％含有する請求項１記載の水性のポリウレタン−ポリ尿素分散体。
【請求項６】
乳濁液ポリマーが、アクリル酸またはその塩、メタクリル酸またはその塩、メチルアクリレート、メチルメタクリレート、エチルアクリレート、ｎ−プロピルアクリレート、イソプロピルアクリレート、ｎ−ブチルアクリレート、ｎ−ブチルメタクリレート、２−エチルヘキシルアクリレートおよびこれらの混合物からなる群から選択される重合モノマーを５０〜１００重量％含有する請求項２記載の水性のポリウレタン−ポリ尿素分散体。
【請求項７】
乳濁液ポリマーが、重合メチルメタクリレート、アクリル酸またはその塩、およびｎ−ブチルアクリレートから本質的になる請求項２記載の水性のポリウレタン−ポリ尿素分散体。
【請求項８】
成分（ｃ）の２つまたはそれ以上の顔料が、二酸化チタン、カーボンブラック、赤色酸化鉄、黄色酸化鉄、黒色酸化鉄、フタロシアニンブルー、フタロシアニングリーン、燐酸亜鉛または他の耐食性顔料、ベンジジンオレンジ、ベンジジンイエロー、カルビゾールバイオレット、クロームイエロー、モリブデートレッド、コバルトブルー、コバルトグリーン、Ｍｏｎｏｚｏをベースとする色素およびジアゾをベースとする色素からなる群から選択される請求項１記載の水性のポリウレタン−ポリ尿素分散体。
【請求項９】
水性ポリマー乳濁液が成分（ａ）と同じポリオール／アミン組成物と予め配合されている請求項１記載の水性のポリウレタン−ポリ尿素分散体。
【請求項１０】
水性ポリマー乳濁液が（ａ）、（ｃ）および（ｄ）の混合物に揺変性を付与するのに十分な量存在する請求項１記載の水性のポリウレタン−ポリ尿素分散体。
【請求項１１】
(ａ)  酸を含有するポリマーポリオールと酸基を含まないポリオールとの水性混合物であって、少なくとも２の平均ヒドロキシル官能性と約１５〜２００の酸価とを有するものと、この酸を含有するポリマーポリオールを実質的に中和するのに十分な量存在する、活性水素の平均官能性が少なくとも２であるアミンまたはアミンの配合物、
(ｂ)  １つまたはそれ以上のポリイソシアネートであって、イソシアネートの当量と、成分（ａ）のポリオールとアミンとの活性水素の当量の合計との比が少なくとも０.５：１であるもの、
(ｃ)  ２つまたはそれ以上の異なる顔料、そして
(ｄ)  ２０℃またはそれ以上のＴｇを有するポリマーからなり、アクリル酸またはその塩、メタクリル酸またはその塩、アクリルエステル、メタクリルエステル、スチレン、置換スチレン、エチレン、塩化ビニル、酢酸ビニル、ブタジエン、アクリロニトリルおよびこれらの混合物からなる群から選択される重合モノマーを含む水性のポリマー乳濁液であって、（ａ）と（ｄ）との混合物に揺変性を付与するのに十分な量で存在させるもの
を組み合わせることによりつくられる、溶媒を実質的に含まず、水性であり、顔料添加された２成分ポリウレタン−ポリ尿素分散体。
【請求項１２】
乳濁液ポリマーが、アクリル酸またはその塩、メタクリル酸またはその塩、メチルアクリレート、メチルメタクリレート、エチルアクリレート、ｎ−プロピルアクリレート、イソプロピルアクリレート、ｎ−ブチルアクリレート、ｎ−ブチルメタクリレート、２−エチルヘキシルアクリレートおよびこれらの混合物からなる群から選択されるモノマーを１０〜１００重量％含有する請求項１１記載の水性のポリウレタン−ポリ尿素分散体。
【請求項１３】
乳濁液ポリマーが、アクリル酸またはその塩、メタクリル酸またはその塩、メチルアクリレート、メチルメタクリレート、エチルアクリレート、ｎ−プロピルアクリレート、イソプロピルアクリレート、ｎ−ブチルアクリレート、ｎ−ブチルメタクリレート、２−エチルヘキシルアクリレートおよびこれらの混合物からなる群から選択されるモノマーを５０〜１００重量％含有する請求項１１記載の水性のポリウレタン−ポリ尿素分散体。
【請求項１４】
乳濁液ポリマーが、アクリル酸またはその塩、メタクリル酸またはその塩、アクリルエステル、メタクリルエステルおよびこれらの混合物からなる群から選択される重合モノマーを含む請求項１３記載の水性のポリウレタン−ポリ尿素分散体。
【請求項１５】
乳濁液ポリマーが重合メチルメタクリレート、アクリル酸またはその塩、およびｎ−ブチルアクリレートから本質的になる請求項１１記載の水性のポリウレタン−ポリ尿素分散体。
【請求項１６】
成分（ｃ）の２つまたはそれ以上の顔料が、二酸化チタン、カーボンブラック、赤色酸化鉄、黄色酸化鉄、黒色酸化鉄、フタロシアニンブルー、フタロシアニングリーン、燐酸亜鉛または他の耐食性顔料、ベンジジンオレンジ、ベンジジンイエロー、カルビゾールバイオレット、クロームイエロー、モリブデートレッド、コバルトブルー、コバルトグリーン、Ｍｏｎｏｚｏをベースとする色素およびジアゾをベースとする色素からなる群から選択される請求項１３記載の水性のポリウレタン−ポリ尿素分散体。
【請求項１７】
水性ポリマー乳濁液が成分（ａ）と同じポリオール／アミン組成物と予め配合されている請求項１３記載の水性のポリウレタン−ポリ尿素分散体。
【請求項１８】
水性ポリマー乳濁液が（ａ）、（ｃ）および（ｄ）の混合物に揺変性を付与するのに十分な量存在する請求項１３記載の水性のポリウレタン−ポリ尿素分散体。
【請求項１９】
水性ポリマー乳濁液が（ａ）、（ｂ）、（ｃ）および（ｄ）の混合物に揺変性を付与するのに十分な量存在する請求項１記載の水性のポリウレタン−ポリ尿素分散体。
【請求項２０】
水性ポリマー乳濁液が（ａ）、（ｂ）、（ｃ）および（ｄ）の混合物に揺変性を付与するのに十分な量存在する請求項１３記載の水性のポリウレタン−ポリ尿素分散体。
【請求項２１】
(ａ)  酸を含有するポリマーポリオールと酸基を含まないポリオールとの水性混合物であって、少なくとも１.５の平均ヒドロキシル官能性と約１５〜２００の酸価とを有するものと、この酸を含有するポリマーポリオールを実質的に中和するのに十分な量存在する、活性水素の平均官能性が少なくとも１.５であるアミンまたはアミンの配合物、
(ｂ)  ２つまたはそれ以上の異なる顔料、そして
(ｃ)  （ａ）と（ｃ）の混合物に揺変性を付与するのに十分な量で存在する水性ポリマー乳濁液
からなる、水をベースとする顔料添加されたコーティング処方物を製造するのにポリイソシアネートと組み合わせて使用するための顔料添加されたポリオール組成物。